(57)【要約】      （修正有）【課題】安全に拘束されることが可能であり、且つ落下しない幼児運搬具の提供。【解決手段】ストラップ締結具１３０は、受け入れ空洞１３０Ｂを有する支持枠１３０Ａを含む。受け入れ空洞１３０Ｂは、底板１３１及び底板１３１から突出する複数の側壁１３２によって範囲を定める。受け入れ空洞１３０Ｂは、挿入孔１３３を介してストラップ締結具１３０の側面に、及び開口部１３７を介して支持枠１３０Ａの表面１３６上に開ける。ストラップ締結具１１０の舌部１１３は、挿入孔１３３を介して、受け入れ空洞１３０Ｂの中に挿入することが可能であり、ストラップ締結具１３０の底板１３１を、舌部１１３とストラップ締結具１１０の側壁１１４Ｅとの間に、位置決めするる。底板１３１は、突起１３５を有するが、この突起１３５は、ストラップ締結具１１０をストラップ締結具１３０で施錠するために、施錠部分１１３１の開口部１１３３と係合する。【選択図】図３
2018075374.tif 000002
【特許請求の範囲】
【請求項１】
ハーネス締結システムであって、
第１ストラップ締結具と、
前記第１ストラップ締結具に取り付け可能であると共に、前記第１ストラップ締結具から取り外し可能である第２ストラップ締結具と、を備え、
前記第２ストラップ締結具は、
前記第１ストラップ締結具が通過するための開口部を有するケーシング体と、
前記ケーシング体の中に配置される舌部であって、前記舌部は、支持基底部と、互いに接続された少なくとも１つの施錠部分とを備え、前記支持基底部は、前記ケーシング体に更に接続され、前記施錠部分は、前記第１ストラップ締結具と係合するために、及び前記第１ストラップ締結具との係合を解くために、前記支持基底部に対して弾性的に偏向可能であり、前記第１及び第２ストラップ締結具が互いに対して取り付けられる場合、前記施錠部分は、前記第１ストラップ締結具と係合し、且つ、前記第１ストラップ締結具が前記第２ストラップ締結具から取り外される場合、前記施錠部分は、前記第１ストラップ締結具との係合が解かれる、舌部と、
前記ケーシング体と共に移動可能に組み立てられる解放作動器であって、前記解放作動器は、前記施錠部分が、前記第１ストラップ締結具との係合を解くために、弾性的に偏向することを促すように動作可能である、解放作動器と、  を備えることを特徴とする、
ハーネス締結システム。
【請求項２】
請求項１に記載のハーネス締結システムであって、前記支持基底部は、前記ケーシング体の側壁に接続され、且つ前記施錠部分は、前記側壁から離れた前記支持基底部の端部で、前記支持基底部に接続され、且つ前記側壁を通り過ぎて延在することを特徴とする、ハーネス締結システム。
【請求項３】
請求項２に記載のハーネス締結システムであって、前記側壁は前記開口部に対向し、且つ前記支持基底部は、第１軸に沿って前記側壁から前記開口部に向けて延在し、前記第１ストラップ締結具は、前記第１軸に沿って移動可能であり、前記開口部を通って前記ケーシング体の中に入ることを特徴とする、ハーネス締結システム。
【請求項４】
請求項３に記載のハーネス締結システムであって、前記第１ストラップ締結具は、第１及び第２のストラップ溝を有し、且つ前記第２ストラップ締結具は、第３ストラップ溝を有し、且つ、前記第１及び第２ストラップ締結具が互いに対して取り付けられる場合、前記第１ストラップ締結具の前記第１及び第２のストラップ溝、並びに前記第２ストラップ締結具の前記第３ストラップ溝は、前記第１軸に沿って位置決めされることを特徴とする、ハーネス締結システム。
【請求項５】
請求項３又は４に記載のハーネス締結システムであって、前記解放作動器は、前記第１軸に対して実質的に垂直な第２軸に沿って滑り移動するために、前記ケーシング体と共に組み立てられることを特徴とする、ハーネス締結システム。
【請求項６】
請求項１、２又は３に記載のハーネス締結システムであって、前記ケーシング体は、前記開口部に隣接するストラップ溝を有することを特徴とする、ハーネス締結システム。
【請求項７】
請求項１から６のいずれか一項に記載のハーネス締結システムであって、前記開口部は、前記ケーシング体の第１端部に設けられ、且つ前記解放作動器は、前記第１端部の反対側にある、前記ケーシング体の第２端部に隣接して配置されることを特徴とする、ハーネス締結システム。
【請求項８】
請求項１から７のいずれか一項に記載のハーネス締結システムであって、前記施錠部分は自由端を有し、前記解放作動器は、前記自由端に接触すると共に前記自由端に押し当たるように動作可能であり、その結果として、前記解放作動器は、前記施錠部分が、前記第１ストラップ締結具との係合を解くために、前記支持基底部に対して偏向するのを引き起こすことを特徴とする、ハーネス締結システム。
【請求項９】
請求項８に記載のハーネス締結システムであって、前記解放作動器は傾斜表面を有し、且つ前記解放作動器は、前記施錠部分が、前記傾斜表面と前記自由端との間の滑り接触を介して、前記第１ストラップ締結具との係合を解くために、前記支持基底部に対して偏向するのを促すことを特徴とする、ハーネス締結システム。
【請求項１０】
請求項１から９のいずれか一項に記載のハーネス締結システムであって、前記開口部は、前記ケーシング体の２つの反対側の側壁の間で画成される幅を有し、且つ前記解放作動器は、前記２つの反対側の側壁の１つの上で露出されることを特徴とする、ハーネス締結システム。
【請求項１１】
請求項１から１０のいずれか一項に記載のハーネス締結システムであって、前記ケーシング体及び前記解放作動器にそれぞれ接続されたばねを更に備え、前記ばねは、前記ケーシング体の外側に突き出るための偏りを前記解放作動器に与えることを特徴とする、ハーネス締結システム。
【請求項１２】
請求項１から１１のいずれか一項に記載のハーネス締結システムであって、前記施錠部分は、開口部又は切れ込みを有し、且つ、前記第１ストラップ締結具が前記第２ストラップ締結具に取り付けられる場合、前記第１ストラップ締結具は、前記施錠部分の前記開口部又は前記切れ込みと係合する突起を有することを特徴とする、ハーネス締結システム。
【請求項１３】
請求項１から１２のいずれか一項に記載のハーネス締結システムであって、前記支持基底部及び前記施錠部分から成る前記舌部は、単一部分として一体的に形成されることを特徴とする、ハーネス締結システム。
【請求項１４】
請求項１から１２のいずれか一項に記載のハーネス締結システムであって、前記ケーシング体及び、前記支持基底部及び前記施錠部分から成る前記舌部は、単一部分として一体的に形成されることを特徴とする、ハーネス締結システム。
【請求項１５】
請求項１から１４のいずれか一項に記載のハーネス締結システムであって、前記少なくとも１つの施錠部分は、ほぼＵ字型の構造を形成する２つの施錠部分を含むことを特徴とする、ハーネス締結システム。
【請求項１６】
請求項１５に記載のハーネス締結システムであって、前記２つの施錠部分及び、前記支持基底部の端部は、接合部を介して互いに接続されることを特徴とする、ハーネス締結システム。
【請求項１７】
請求項１に記載のハーネス締結システムであって、前記第１ストラップ締結具は、底板及び前記底板から突出する複数の側壁によって、少なくとも部分的に範囲が定められる受け入れ空洞を備え、前記第１及び第２のストラップ締結具が互いに対して取り付けられる場合、前記舌部は、前記受け入れ空洞の中に挿入されることを特徴とする、ハーネス締結システム。
【請求項１８】
請求項１７に記載のハーネス締結システムであって、前記第１及び第２のストラップ締結具が互いに対して取り付けられる場合、前記底板は、前記舌部と前記ケーシング体の側壁との間に制限的に位置決めされることを特徴とする、ハーネス締結システム。
【請求項１９】
請求項１７又は１８に記載のハーネス締結システムであって、前記第１ストラップ締結具は、自身の上に前記受け入れ空洞が開けられた支持枠を備え、前記支持枠は、前記受け入れ空洞の２つの反対側にそれぞれ配置された２つのストラップ溝を有し、前記第１及び第２のストラップ締結具が互いに対して取り付けられる場合、前記支持枠は、前記ケーシング体の内側空洞を少なくとも部分的に更に覆うことを特徴とする、ハーネス締結システム。
【発明の詳細な説明】
【技術分野】
【０００１】
本発明は、ハーネス締結システムに関する。
【背景技術】
【０００２】
幾つかの幼児運搬具製品は、通常、親が、手を使用せずに、小さな幼児を自身の体に接して運搬することを可能にする。幼児運搬具は、通常、複数のストラップ部分から成るハーネスを有することが可能である。ここで該ストラップ部分は、親の体の周りに適切に巻かれると共に取り付けられる必要があり、それによって、幼児運搬具に受け入れられた幼児は、安全に拘束されることが可能であり、且つ落下しないであろう。このような幼児運搬具は、締結システムを必要とすることがあり、この締結システムとは、便利に動作すると共に、ハーネスストラップを安全に取り付けることが可能である。
【０００３】
以上より、改善されたハーネス締結システムに対する必要性が存在し、この改善されたハーネス締結システムとは、コスト効果の高い方法で製造でき、且つ少なくとも前述の問題に対処できるものである。
【発明の概要】
【課題を解決するための手段】
【０００４】
本願は、ハーネス締結システムを説明する。このハーネス締結システムは、第１ストラップ締結具と、第１ストラップに取り付け可能であると共に、第１ストラップ締結具から取り外し可能な第２ストラップ締結具とを備える。第２ストラップ締結具は、ケーシング体と、舌部と、解放作動器とを備える。ケーシング体は、第１ストラップ締結具が通過するための開口部を有する。舌部は、ケーシング体の中に配置され、且つ支持基底部と、互いに接続された少なくとも１つの施錠部分とを備え、該支持基底部は、ケーシング体に更に接続され、且つ施錠部分は、第１ストラップ締結具と係合するために、及び第１ストラップ締結具との係合を解くために、支持基底部に対して弾性的に偏向可能であり、第１ストラップ締結具と第２ストラップ締結具とが互いに対して取り付けられる場合、施錠部分は、第１ストラップ締結具と係合され、且つ、第１ストラップ締結具が第２ストラップ締結具から取り外される場合、施錠部分は、第１ストラップ締結具との係合を解かれる。解放作動器は、ケーシング体と共に移動可能に組み立てられ、且つ施錠部分が、第１ストラップ締結具との係合を解くために、弾性的に偏向することを促すように動作することが可能である。
【図面の簡単な説明】
【０００５】
【図１】互いに対して取り付けられた２つのストラップ締結具から成るハーネス締結システムの実施形態を例示する斜視図である。
【図２】図１で示されるものとは反対側からの、ハーネス締結システムを例示する斜視図である。
【図３】図１で示されるハーネス締結システムの、幾つかの構成詳細を例示する分解立体図である。
【図４】互いから取り外された、図１で示されたハーネス締結システムの２つのストラップ締結具を例示する斜視図である。
【図５】図１で示されたハーネス締結システムの断面図である。
【図６】互いに対して取り付けられた２つのストラップ締結具から成るハーネス締結システムの別の実施形態を例示する斜視図である。
【図７】図６で示されたものとは反対側からの、図６のハーネス締結システムを例示する斜視図である。
【図８】互いから取り外された、図６に示されたハーネス締結システムの２つのストラップ締結具を例示する斜視図である。
【図９】図６で示されたハーネス締結システムの、幾つかの構成詳細を例示する分解立体図である。
【図１０】図６で示されたハーネス締結システムの２つのストラップ締結具の間の施錠係合を例示する模式図である。
【発明を実施するための形態】
【０００６】
図１から図５は、ハーネス締結システム１００の実施形態を例示する。
図１から図５を参照する。ハーネス締結システム１００は、２つのストラップ締結具１１０及び１３０を含む。例えば、ストラップ締結具１１０は、雄のストラップ締結具であり得、且つストラップ締結具１３０は、雌のストラップ締結具であり得る。ストラップ締結具１１０及び１３０は、異なるストラップ部分にそれぞれ接続することが可能であり、且つハーネス締結システム１００を締結する又は締結を解くために、互いに対して取り付け可能であると共に、互いから取り外し可能である。
ハーネス締結システム１００に対する実施の例は、制限無く、介護者の体に寄せて幼児を運搬するために使用される幼児運搬具を含むことが可能であり、ストラップ締結具１１０及び１３０は、幼児運搬具の異なるストラップ部分に取り付ける。
【０００７】
図３から図５を参照する。ストラップ締結具１１０は、ケーシング体１１１と、舌部１１３と、解放作動器１５０と、ばね１５３とを含む。
ケーシング体１１１は、互いに隣接する２つの内側空洞１１２及び１１４を有することが可能である。内側空洞１１４は、軸Ｘ１に沿って延在し、且つケーシング体１１１の端部で、開口部１１４Ａと軸方向に接続することが可能である。構成の例によれば、内側空洞１１４は、ケーシング体１１１の複数の側壁１１４Ｂ、１１４Ｃ、１１４Ｄ及び１１４Ｅによって、少なくとも部分的に範囲を定めることが可能である。側壁１１４Ｂは、軸Ｘ１に沿って、軸方向に開口部１１４Ａと対向し、且つ内側空洞１１２及び１１４を互いから、少なくとも部分的に分離することが可能である。２つの反対側の側壁１１４Ｃ及び１１４Ｄは、側壁１１４Ｂの２つの反対側の端部にそれぞれ接続され、且つ側壁１１４Ｂから開口部１１４Ａまで延在することが可能であり、開口部１１４Ａの幅は、２つの側壁１１４Ｃと１１４Ｄとの間で画成される。
側壁１１４Ｅは、側壁１１４Ｂ、１１４Ｃ及び１１４Ｄにそれぞれ接続され、且つ、２つの側壁１１４Ｂ及び１１４Ｃの間で、且つ側壁１１４Ｂから開口部１１４Ａまで延在することが可能である。内側空洞１１４は、ストラップ締結具１３０を少なくとも部分的に受け入れるように適合しており、ここでストラップ締結具１３０は、舌部１１３と係合するために、一般に軸Ｘ１に沿って滑り、開口部１１４Ａを通って内側空洞１１４の中に入ることが可能である。
【０００８】
図３及び図４を参照する。舌部１１３は、内側空洞１１４の中に配置され、且つケーシング体１１１に接続される。より具体的には、舌部１１３は、ケーシング体１１１の側壁１１４Ｂに接続され、且つ、一般に軸Ｘ１に沿って、側壁１１４Ｂから開口部１１４Ａに向けて延在することが可能である。構成の例によれば、舌部１１３は、ケーシング体１１１に接続された支持基底部１１３０と、支持基底部１１３０に接続された施錠部分１１３１とを含むことが可能である。
【０００９】
支持基底部１１３０は、側壁１１４Ｂに接続され、且つ側壁１１４Ｂから、軸Ｘ１に沿って、開口部１１４Ａに向けて延在することが可能である。構成の例によれば、支持基底部１１３０は、２つの側面部分１１３２と、横断部分１１３４とを含むことが可能である。
２つの側面部分１１３２は、側壁１１４Ｂにそれぞれ接続され、且つ一般に平行に延在することが可能であり、且つ、軸Ｘ１に沿って、開口部１１４Ａに向けて、互いから一定間隔で配置することが可能である。横断部分１１３４は、２つの側面部分１１３２の間に延在することが可能であり、且つ側壁１１４Ｂから離れた支持基底部１１３０の端部で、２つの側面部分１１３２につながることが可能である。
【００１０】
施錠部分１１３１は、側壁１１４Ｂから離れた支持基底部１１３０の端部で、支持基底部１１３０の横断部分１１３４に接続することが可能であり、且つ支持基底部１１３０の２つの側面部分１１３２の間に延在することが可能である。特に、施錠部分１１３１は、軸Ｘ１に沿って延在し、側壁１１４Ｂを通り過ぎ、側壁１１４Ｂに設けられた開口部１１４１を通って内側空洞１１２に入る。施錠部分１１３１は、内側空洞１１２内に少なくとも部分的に位置決めされる自由端１１５の中に入って終端してもよい。
施錠部分１１３１と、軸Ｘ１に沿った２つの側面部分１１３２の各々との間に、隙間を画成してもよく、この隙間は、軸Ｘ１に沿って、施錠部分１１３１が支持基底部１１３０の横断部分１１３４に接続する部分から、施錠部分１１３１の自由端１１５まで延在する。その上、ケーシング体１１１の側壁１１４Ｃ、１１４Ｄ及び１１４Ｅの各々と、施錠部分１１３１及び支持基底部１１３０から成る舌部１１３との間に、隙間を画成することが可能である。従って、舌部１１３の施錠部分１１３１は、ストラップ締結具１３０と係合するために、及びストラップ締結具１３０との係合を解くために、ケーシング体１１１の側壁１１４Ｅに向けて、且つ該側壁１１４Ｅから離れるように、支持基底部１１３０に対して弾性的に偏向することが可能である。
【００１１】
図３及び図４を参照する。施錠部分１１３１は、軸Ｘ１に沿った自由端１１５と横断部分１１３４との間に位置する開口部１１３３を、更に含んでもよい。
開口部１１３３は、施錠部分１１３１上の中心に位置決めしてもよく、且つストラップ締結具１３０の係合を受け入れることが可能である。構成の例によれば、開口部１１３３は、１つ以上の斜面を含んでもよいが、これは、施錠部分１１３１に対してストラップ締結具１３０を係合させること、及び／又はこの係合を解くことを容易にするためである。
【００１２】
実施の例によれば、支持基底部１１３０及び施錠部分１１３１から成る舌部１１３は、ケーシング体１１１と接続される単一部分として一体的に形成してもよい。実施の例によれば、ケーシング体１１１及び、支持基底部１１３０及び施錠部分１１３１から成る舌部１１３は、単一部分として一体的に形成してもよい。
【００１３】
図３及び図４を参照する。ケーシング体１１１は、ストラップ溝１１１２を更に含むことが可能であり、このストラップ溝１１１２を通して、ストラップ部分を巻き、且つストラップ締結具１１０にしっかり固定してもよい。
ストラップ溝１１１２は、ケーシング体１１１の開口部１１４Ａに隣接して配置してもよい。
【００１４】
図３から図５を参照する。解放作動器１５０は、解放ボタン１５１として提供してもよい。
解放作動器１５０は、ケーシング体１１１の内側空洞１１２の中に少なくとも部分的に受け入れられることが可能であり、且つケーシング体１１１の開口部１１２Ａを通る動作に対して、側壁１１４Ｄの側面で露出させることが可能である。便利な利用法及び動作のために、解放作動器１５０は、典型的には、開口部１１４Ａが設けられる場所とは反対側にある、ケーシング体１１１の端部に隣接して配置してもよい。解放作動器１５０は、ケーシング体１１１と共に移動可能に組み立てられ、且つ、施錠部分１１３１の自由端１１５に接触すると共に、自由端１１５に押し当たることが可能であり、それによって、解放作動器１５０は、施錠部分１１３１が偏向すると共に、ストラップ締結具１３０との係合を解くことを促す。
【００１５】
構成の例によれば、解放作動器１５０は、軸Ｘ２に沿って滑るために、ケーシング体１１１と共に組み立ててもよく、且つ案内溝１５１０を含むことが可能である。この場合、施錠部分１１３１の自由端１１５は、案内溝１５１０の中に、滑るように受け入れられることが可能である。解放作動器１５０の移動の軸Ｘ２は、軸Ｘ１に対して実質的に垂直であり得る。解放作動器１５０における案内溝１５１０は、傾斜部分を有してもよく、この傾斜部分は、軸Ｘ２に対してある角度だけ傾いた、２つのほぼ平行な傾斜表面１５１１によって、少なくとも部分的に範囲が定めされる。
動作の間、解放作動器１５０は、軸Ｘ２に沿って移動可能であり、その結果として、舌部１１３の施錠部分１１３１が、側壁１１４Ｅに向けて、又は側壁１１４Ｅから離れるように、支持基底部１１３０に対して弾性的に偏向することを引き起こすが、これは、施錠部分１１３１の自由端１１５と、２つの傾斜表面１５１１の少なくとも１つとの間の滑り接触を介して起こる。構成の幾つかの例によれば、施錠部分１１３１の自由端１１５はまた、傾斜表面を有してもよいが、これは、自由端１１５と解放作動器１５０との間の滑り接触を容易にするためである。
【００１６】
ばね１５３は、解放作動器１５０及び内側空洞１１２の側壁に、それぞれ接続することが可能である。ばね１５３は、側壁１１４Ｄの側面で外側に突き出るための偏りを、解放作動器１５０に与えることが可能である。解放作動器１５０は、内側空洞１１２の縁部１１２Ｂに寄りかかって接触できる停止リブ１５５を有することが可能であるが、これは、ばね１５３によって加えられた偏り力に抗して、解放作動器１５０を所定の位置に停止させるためである。
【００１７】
図３及び図４を参照する。ストラップ締結具１３０は、単一部分として一体的に形成することが可能である。
構成の例によれば、ストラップ締結具１３０は、受け入れ空洞１３０Ｂを有する支持枠１３０Ａを含むことが可能である。受け入れ空洞１３０Ｂは、底板１３１及び底板１３１から突出する複数の側壁１３２によって、少なくとも部分的に範囲を定めることが可能である。また受け入れ空洞１３０Ｂは、挿入孔１３３を介してストラップ締結具１３０の側面に、及び開口部１３７を介して支持枠１３０Ａの表面１３６上に、それぞれ開けることが可能である。
ストラップ締結具１１０の舌部１１３は、挿入孔１３３を介して、受け入れ空洞１３０Ｂの中に挿入することが可能であるが、これは、ストラップ締結具１３０の底板１３１を、舌部１１３とストラップ締結具１１０の側壁１１４Ｅとの間に、制限して位置決めすることによって行われる。その上、底板１３１は、突起１３５を有することが可能であるが、この突起１３５は、ストラップ締結具１１０をストラップ締結具１３０で施錠するために、施錠部分１１３１の開口部１１３３と係合するように適合している。
突起１３５は、任意の適切な形状を有することが可能であり、それらは、例えば、長方形、正方形、円筒形などである。その上、突起１３５は、傾斜表面を有することが可能であるが、これは、ストラップ締結具１１０の舌部１１３を挿入すること又は除去することを容易にするためである。突起１３５上の傾斜表面は、施錠部分１１３１と滑り接触の状態にあってもよいが、これは、舌部１１３が、受け入れ空洞１３０Ｂの中に滑って入る、又は受け入れ空洞１３０Ｂから滑って出るからである。
【００１８】
図３及び図４を参照する。支持枠１３０Ａは、２つのストラップ溝１３４を更に含むことが可能であり、該ストラップ溝を通って、２つのストラップ部分は、それぞれ、巻かれる共にストラップ締結具１３０でしっかりと固定されてもよい。２つのストラップ溝１３４は、受け入れ空洞１３０Ｂの２つの反対側に配置することが可能である。
【００１９】
ハーネス締結システム１００の典型的な動作について、図１から図５を参照しながら、以下で説明する。
ストラップ締結具１１０をストラップ締結具１３０に取り付けるためには、ストラップ締結具１１０の舌部１１３を、挿入孔１３３を通して、ストラップ締結具１３０の受け入れ空洞１３０Ｂの中に挿入することが可能である。舌部１１３は、受け入れ空洞１３０Ｂの中に滑って入るので、ストラップ締結具１３０の底板１３１は、ストラップ締結具１１０の舌部１１３と側壁１１４Ｅとの間に位置決めすることが可能であり、且つ底板１３１上の突起１３５は、舌部１１３の施錠部分１１３１を、側壁１１４Ｅから離れるように押すことが可能である。
一旦開口部１１３３が突起１３５に達すると、施錠部分１１３１は、側壁１１４Ｅに向けて弾性的に偏向することが可能であり、その結果として、突起１３５は、ストラップ締結具１１０をストラップ締結具１３０で施錠するために、開口部１１３３と係合する。ストラップ締結具１１０及び１３０が互いにしっかりと固定されると、ばね１５３の偏り力のために、解放作動器１５０は、ストラップ締結具１１０の側面で、外側に突き出ることが可能である。ストラップ締結具１１０及び１３０が互いに取り付けられた後、ストラップ締結具１１０のストラップ溝１１１２及びストラップ締結具１３０の２つのストラップ溝１３４は、同じ軸Ｘ１に沿って位置決めすることが可能である。その上、ストラップ締結具１３０の支持枠１３０Ａは、ストラップ締結具１１０の内側空洞１１４を少なくとも部分的に覆い、且つケーシング体１１１の２つの側壁１１４Ｃ及び１１４Ｄの上方に広がる。
【００２０】
ストラップ締結具１３０からストラップ締結具１１０を取り外すためには、ユーザはばね１５３の偏り力に抗して、解放作動器１５０を内側に押すことが可能である。解放作動器１５０の傾斜表面１５１１と施錠部分１１３１の自由端１１５との間の滑り接触のために、解放作動器１５０は、それに従って、舌部１１３の施錠部分１１３１を促して、施錠部分１１３１が、ケーシング体１１１の側壁１１４Ｅから離れるように偏向すると共に、それによって、突起１３５の、開口部１１３３との係合を解く。ストラップ締結具１１０及び１３０は、それによって、施錠が解かれ、且つ引っ張って互いから離すことが可能である。
【００２１】
図６から図１０は、ハーネス締結システム２００の別の実施形態を例示する模式図である。
図６から図１０を参照する。ハーネス締結システム２００は、２つのストラップ締結具２１０及び２３０を含む。例えば、ストラップ締結具２１０は、雄のストラップ締結具であり得、且つストラップ締結具２３０は、雌のストラップ締結具であり得る。ストラップ締結具２１０及び２３０は、それぞれ異なるストラップ部分に接続することが可能であり、且つ、ハーネス締結システム２００を締結する又はハーネス締結システム２００の締結を解くために、互いに対して係合する又は係合を解くように動作することが可能である。
【００２２】
図８及び図９を参照する。ストラップ締結具２１０は、ケーシング体２１１と、舌部２１３と、２つの解放作動器２５０Ａ及び２５０Ｂと、２つのばね２５３Ａ及び２５３Ｂとを含むことが可能である。
ケーシング体２１１は、互いに隣接して配置された複数の内側空洞２１２及び２１４を有することが可能である。内側空洞２１４は、軸Ｘ１に沿って延在し、且つケーシング体２１１の端部で、開口部２１４Ａと軸方向に接続することが可能である。構成の例によれば、内側空洞２１４は、ケーシング体２１１の複数の側壁２１４Ｂ、２１４Ｃ、２１４Ｄ及び２１４Ｅによって、少なくとも部分的に範囲を定めることが可能である。側壁２１４Ｂは、軸Ｘ１に沿って、開口部２１４Ａと軸方向に対向し、且つ２つの内側空洞２１２から内側空洞２１４を少なくとも部分的に分離することが可能である。
２つの反対側の側壁２１４Ｃ及び２１４Ｄは、側壁２１４Ｂの２つの反対側の端部にそれぞれ接続され、且つ側壁２１４Ｂから開口部２１４Ａまで延在することが可能であり、開口部２１４Ａの幅は、２つの側壁２１４Ｃ及び２１４Ｄの間で画成される。側壁２１４Ｅは、側壁２１４Ｂ、２１４Ｃ及び２１４Ｄにそれぞれ接続され、且つ、２つの側壁２１４Ｂ及び２１４Ｃの間で、且つ側壁２１４Ｂから開口部２１４Ａまで延在することが可能である。内側空洞２１４は、ストラップ締結具２３０を少なくとも部分的に受け入れるように適合しており、ここでストラップ締結具２３０は、舌部２１３と係合するために、軸Ｘ１にほぼ沿って滑り、開口部２１４Ａを通って内側空洞２１４の中に入る。
【００２３】
図８及び図９を参照する。舌部２１３は、内側空洞２１４の中に配置され、且つケーシング体２１１に接続される。より具体的には、舌部２１３は、ケーシング体２１１の側壁２１４Ｂに接続することが可能であり、且つ、軸Ｘ１にほぼ沿って、側壁２１４Ｂから開口部２１４Ａに向けて延在することが可能である。
構成の例によれば、舌部２１３は、支持基底部２１５と、２つの施錠部分２１７Ａ及び２１７Ｂとを含むことが可能である。支持基底部２１５は、典型的には、板形状を有することが可能である。支持基底部２１５は、ケーシング体２１１の側壁２１４Ｂに接続することが可能であり、且つ軸Ｘ１に沿って、側壁２１４Ｂから開口部２１４Ａに向けて延在することが可能である。
【００２４】
２つの施錠部分２１７Ａ及び２１７Ｂは、同じ構造を有してもよい。より具体的には、２つの施錠部分２１７Ａ及び２１７Ｂと、側壁２１４Ｂから離れた支持基底部２１５の端部とは、接合部２１８を介して、互いに接続することが可能である。２つの施錠部分２１７Ａ及び２１７Ｂは、軸Ｘ１に沿って、互いに対して対称に広がることが可能である。また２つの施錠部分２１７Ａ及び２１７Ｂは、側壁２１４Ｂを通り過ぎてそれぞれ延在し、２つの内側空洞２１２に入ることが可能である。特に、２つの施錠部分２１７Ａ及び２１７Ｂの各々は、対応する内側空洞２１２の中に少なくとも部分的に位置決めされる自由端２１７１の中に入って終端してもよい。
図８及び図９に示されるように、２つの施錠部分２１７Ａ及び２１７Ｂは、ほぼＵ字型の構造を形成することが可能である。支持基底部２１５と施錠部分２１７Ａ及び２１７Ｂの各々との間に、隙間を画成してもよく、この隙間は、軸Ｘ１に沿って、接合部２１８から自由端２１７１まで延在する。その上、ケーシング体２１１の側壁２１４Ｃ、２１４Ｄ及び２１４Ｅの各々と、支持基底部２１５及び、施錠部分２１７Ａ及び２１７Ｂから成る舌部２１３との間に、隙間を画成することが可能である。従って、舌部２１３の施錠部分２１７Ａは、ストラップ締結具２３０と係合するために、及びストラップ締結具２３０との係合を解くために、ケーシング体２１１の側壁２１４Ｃに向けて、及びケーシング体２１１の側壁２１４Ｃから離れるように、支持基底部２１５に対して弾性的に偏向することが可能である。同様に、舌部２１３の施錠部分２１７Ｂは、ストラップ締結具２３０と係合するために、及びストラップ締結具２３０との係合を解くために、ケーシング体２１１の側壁２１４Ｄに向けて、及びケーシング体２１１の側壁２１４Ｄから離れるように、支持基底部２１５に対して弾性的に偏向することが可能である。
【００２５】
図８及び図９を参照する。施錠部分２１７Ａ及び２１７Ｂの各々は、自由端２１７１と軸Ｘ１に沿う接合部２１８との間に位置する切れ込み２１７３を更に含んでもよい。各切れ込み２１７３は、ストラップ締結具２３０とそれぞれ係合することが可能であるが、これは、ストラップ締結具２３０がストラップ締結具２１０から外れることを防止するためである。
【００２６】
実施の例によれば、支持基底部２１５と施錠部分２１７Ａ及び２１７Ｂとから成る舌部２１３は、ケーシング体２１１に接続される単一部分として一体的に形成してもよい。実施の例によれば、ケーシング体２１１及び、支持基底部２１５と施錠部分２１７Ａ及び２１７Ｂとから成る舌部２１３は、単一部分として一体的に形成してもよい。
【００２７】
図８及び図９を参照する。ケーシング体２１１は、ストラップ溝２１１２を更に含むことが可能であり、このストラップ溝２１１２を通して、ストラップ部分を巻くと共に、ストラップ締結具２１０にしっかりと固定してもよい。ストラップ溝２１１２は、ケーシング体２１１の開口部２１４Ａに隣接して配置してもよい。
【００２８】
図６から図１０を参照する。２つの解放作動器２５０Ａ及び２５０Ｂの各々は、解放ボタン２５１として提供してもよい。
２つの解放作動器２５０Ａ及び２５０Ｂは、ケーシング体２１１の２つの内側空洞２１２の中に、それぞれ少なくとも部分的に受け入れることが可能であり、且つ側壁２１４Ｃ及び２１４Ｄ上の２つの反対側の開口部２１２Ａを通る動作に対して、それぞれ露出させることが可能である。便利な利用法及び動作のために、２つの解放作動器２５０Ａ及び２５０Ｂは、典型的には、開口部２１４Ａが設けられる場所とは反対側にある、ケーシング体２１１の端部に隣接して配置しもよい。２つの解放作動器２５０Ａ及び２５０Ｂは、ケーシング体２１１と共に移動可能に組み立てられ、且つ、それぞれ、施錠部分２１７Ａ及び２１７Ｂの自由端２１７１に接触すると共に、自由端２１７１に押し当たることが可能であり、それによって、施錠部分２１７Ａ及び２１７Ｂが偏向すると共に、ストラップ締結具２３０との係合を解くこと促す。
【００２９】
構成の例によれば、解放作動器２５０Ａは、軸Ｘ２に沿って滑るために、ケーシング体２１１と共に組み立ててもよく、ここで軸Ｘ２は、舌部２１３の軸Ｘ１に対して実質的に垂直であり得る。解放作動器２５０Ａは、施錠部分２１７Ａの自由端２１７１と対向する駆動表面２５１４を含むことが可能である。
動作の間、解放作動器２５０Ａは、軸Ｘ２に沿って移動可能であり、その結果として、駆動表面２５１４が、自由端２１７１に接触すると共に、自由端２１７１に押し当たることを引き起こし、それによって、施錠部分２１７Ａが、ストラップ締結具２３０との係合を解くために、ケーシング体２１１の側壁２１４Ｃから離れるように、弾性的に偏向することを促す。
【００３０】
構成の例によれば、施錠部分２１７Ａと解放作動器２５０Ａとの間に、滑り接続を更に設けることが可能である。例えば、施錠部分２１７Ａの自由端２１７１は、切れ込み２１７２を有することが可能であり、且つ解放作動器２５０Ａは、切れ込み２１７２との滑り接触において、リブ２５１３を有することが可能である。この滑り接続は、施錠部分２１７Ａの偏向移動を案内するのを援助することができる。
【００３１】
図８及び図９を再び参照する。ばね２５３Ａは、解放作動器２５０Ａ及びケーシング体２１１の側壁２１１４に、それぞれ接続することが可能である。ばね２５３Ａの組み立てを容易にするために、解放作動器２５０Ａは、通路２５１１を含んでもよく、この通路２５１１の中に、ばね２５３Ａを少なくとも部分的に受け入れることが可能である。
ばね２５３Ａは、側壁２１４Ｃの側面でケーシング体２１１の外側に突き出るための偏りを、解放作動器２５０Ａに与えることが可能である。その上、解放作動器２５０Ａは、内側空洞２１２の縁部２１２１に寄りかかって接触できる停止リブ２５１２を有することが可能であるが、これは、ばね２５３Ａによって加えられた偏り力に抗して、解放作動器２５０Ａを所定の位置に停止させるためである。
【００３２】
解放作動器２５０Ｂは、上で説明された解放作動器２５０Ａと同じ構造を有することが可能であり、且つ、同じ方法で、舌部２１３の施錠部分２１７Ｂと動作的に接続することが可能である。解放作動器２５０Ａに関する、ばね２５３Ａと同様な組み立て構造は、ばね２５３Ｂを解放作動器２５０Ｂと接続することに対して、使用することが可能であり、ばね２５３Ｂは、側壁２１４Ｄの側面でケーシング体２１１の外側に突き出るための偏りを、解放作動器２５０Ｂに与えるように動作することが可能である。
【００３３】
図８及び図９を参照する。ストラップ締結具２３０は、単一部分として一体的に形成することが可能である。構成の例によれば、ストラップ締結具２３０は、受け入れ空洞２３０Ｂを有する支持枠２３０Ａを含むことが可能である。受け入れ空洞２３０Ｂは、底板２３１及び底板２３１から突出する複数の側壁２３２によって、少なくとも部分的に範囲を定めることが可能であり、また受け入れ空洞２３０Ｂは、挿入孔２３３を介してストラップ締結具２３０の側面に、及び開口部２３７を介して支持枠２３０Ａの表面２３６上に、それぞれ開けることが可能である。
ストラップ締結具２１０の舌部２１３は、挿入孔２３３を介して、受け入れ空洞２３０Ｂの中に挿入することが可能であるが、これは、ストラップ締結具２３０の底板２３１を、舌部２１３とストラップ締結具２１０の側壁２１４Ｅとの間に、制限して位置決めすることによって行われる。その上、２つの反対側の側壁２３２は、それぞれ、２つの突起２３４を有することが可能であるが、ここで突起２３４は、ストラップ締結具２１０をストラップ締結具２３０で施錠するために、２つの施錠部分２１７Ａ及び２１７Ｂ上に設けられた切れ込み２１７３と係合するように適合している。
【００３４】
図８及び図９を参照する。支持枠２３０Ａは、２つのストラップ溝２３５を更に含むことが可能であり、該ストラップ溝２３５を通して、２つのストラップ部分を、それぞれ巻くと共に、ストラップ締結具２３０にしっかりと固定してもよい。２つのストラップ溝２３５は、受け入れ空洞２３０Ｂの２つの反対側に配置することが可能である。
【００３５】
ハーネス締結システム２００の典型的な動作について、図６から図１０を参照しながら、以下で説明する。
ストラップ締結具２１０をストラップ締結具２３０に取り付けるためには、ストラップ締結具２１０の舌部２１３を、挿入孔２３３を通して、ストラップ締結具２３０の受け入れ空洞２３０Ｂの中に挿入することが可能である。舌部２１３は、受け入れ空洞２３０Ｂの中に滑って入るので、ストラップ締結具２３０の底板２３１は、ストラップ締結具２１０の舌部２１３と側壁２１４Ｅとの間に位置決めすることが可能であり、且つ２つの側壁２３２上の突起２３４は、舌部１１３の２つの施錠部分２１７Ａ及び２１７Ｂをそれぞれ押し、その結果として、施錠部分２１７Ａ及び２１７Ｂが、互いに向けて偏向すると共に、それぞれ側壁２１４Ｃ及び２１４Ｄから離れるように偏向することが可能である。一旦突起２３４が切れ込み２１７３に達すると、施錠部分２１７Ａ及び２１７Ｂは、互いから離れるように、且つそれぞれ側壁２１４Ｃ及び２１４Ｄに向けて、弾性的に偏向することが可能であり、その結果として、突起２３４は、ストラップ締結具２１０をストラップ締結具２３０で施錠するために、切れ込み２１７３とそれぞれ係合する。
ストラップ締結具２１０及び２３０が互いに対して取り付けられると、ばね２５３Ａ及び２５３Ｂの偏り力のために、２つの解放作動器２５０Ａ及び２５０Ｂは、ストラップ締結具２１０の２つの反対側で、外側に突き出ることが可能である。ストラップ締結具２１０及び２３０が互いに対して取り付けられた後、ストラップ締結具２１０のストラップ溝２１１２及びストラップ締結具２３０の２つのストラップ溝２３５は、同じ軸Ｘ１に沿って位置決めすることが可能である。その上、ストラップ締結具２３０の支持枠２３０Ａは、ストラップ締結具２１０の内側空洞２１４を少なくとも部分的に覆うことが可能であり、且つケーシング体２１１の２つの側壁２１４Ｃ及び２１４Ｄの上方に広がる。
【００３６】
ストラップ締結具２１０をストラップ締結具２３０から取り外すために、ユーザは、ばね２５３Ａ及び２５３Ｂの偏り力に抗して、２つの解放作動器２５０Ａ及び２５０Ｂを、それぞれ内側に押すことが可能である。その結果、２つの解放作動器２５０Ａ及び２５０Ｂは、舌部２１３の２つの施錠部分２１７Ａ及び２１７Ｂが、互いに向けて、且つケーシング体２１１の側壁２１４Ｃ及び２１４Ｄからそれぞれ離れるように、偏向するのを促すことが可能であり、それによって、突起２３４の、切れ込み２１７３との係合を解く。ストラップ締結具２１０及び２３０は、それによって、施錠が解かれ、且つ引っ張って互いから離すことが可能である。
【００３７】
本明細書で説明された構造の利点は、動作が便利で、小型サイズであり、２つのストラップ締結具を有効な方法で取り付けることが可能であるハーネス締結システムを提供できることを含む。
【００３８】
ハーネス締結システムの実施について、特定の実施形態の文脈において説明してきた。これらの実施形態は、例証的且つ非限定的であることが意図されており、多くの変形例、変更例、追加例、及び改良例が可能である。これら及びその他の変形例、変更例、追加例、及び改良例は、以下に続く請求項で定義される、本発明の範囲の中に含まれるであろう。
【図１】
2018075374.tif 000003
【図２】
2018075374.tif 000004
【図３】
2018075374.tif 000005
【図４】
2018075374.tif 000006
【図５】
2018075374.tif 000007
【図６】
2018075374.tif 000008
【図７】
2018075374.tif 000009
【図８】
2018075374.tif 000010
【図９】
2018075374.tif 000011
【図１０】
2018075374.tif 000012
【外国語明細書】
2018075374000001.pdf